(57)【要約】  方法が、第１のアップリンク及びダウンリンク構成を使用する所定の構成の第１のセル、及び第２のアップリンク及びダウンリンク構成を使用する第２のセルと通信するステップと、物理アップリンク共有チャネルを用いて、前記第１及び前記第２のセルのための通信フィードバックを前記第２のセルにおいて提供するステップと、アップリンクグラントで受け取られたダウンリンク割当てインジケータ情報に依存して、前記フィードバックのコードブックサイズを決定するステップとを含む。【選択図】図１
2015523825.tif 000002
【特許請求の範囲】
【請求項１】
第１のアップリンク及びダウンリンク構成を使用する所定の構成の第１のセル、及び第２のアップリンク及びダウンリンク構成を使用する第２のセルと通信するステップと、
物理アップリンク共有チャネルを用いて、前記第１のセル及び前記第２のセルのための通信フィードバックを前記第２のセルにおいて提供するステップと、
アップリンクグラントで受け取られたダウンリンク割当てインジケータ情報に依存して、前記フィードバックのコードブックサイズを決定するステップと、
を含むことを特徴とする方法。
【請求項２】
第１のアップリンク及びダウンリンク構成を使用する所定の構成の第１のセル、及び第２のアップリンク及びダウンリンク構成を使用する第２のセルと通信するステップと、
物理アップリンク共有チャネルを用いて、前記第１のセル及び前記第２のセルのための通信フィードバックを前記第１のセルにおいて提供するステップと、
前記第１及び第２のセルのタイミング基準アップリンク及びダウンリンク構成、及びアップリンクグラントで受け取られたダウンリンク割当てインジケータ情報の一方を用いて前記フィードバックのコードブックサイズを決定するステップと、
を含むことを特徴とする方法。
【請求項３】
物理アップリンク共有チャネルをスケジュールするアップリンクグラントで２ビットのダウンリンク割当てインジケータを受け取るステップを含む、
ことを特徴とする請求項２に記載の方法。
【請求項４】
前記アップリンクグラントは、前記物理アップリンク共有チャネルと同じセルで受け取られる、
ことを特徴とする請求項１から３のいずれか１項に記載の方法。
【請求項５】
前記アップリンクグラントは、前記物理アップリンク共有チャネルと異なるセルで受け取られる、
ことを特徴とする請求項１から３のいずれか１項に記載の方法。
【請求項６】
第１のアップリンク及びダウンリンク構成を使用する第１のセル、及び第２のアップリンク及びダウンリンク構成を使用する第２のセルと通信するステップと、
ダウンリンクグラント内のダウンリンク割当てインジケータを使用するステップと、
を含むことを特徴とする方法。
【請求項７】
受け取った通信に関する通信フィードバックに前記ダウンリンク割当てを使用するステップを含む、
ことを特徴とする請求項６に記載の方法。
【請求項８】
前記第１及び第２のセルの一方は、所定の構成を有する、
ことを特徴とする請求項６又は７に記載の方法。
【請求項９】
前記所定の構成は、アップリンクダウンリンク構成０を含む、
ことを特徴とする請求項１、２又は８のいずれか１項に記載の方法。
【請求項１０】
前記第１及び第２のセルの一方はプライマリセルを含み、前記第１及び第２のセルの他方はセカンダリセルを含む、
ことを特徴とする請求項１から９のいずれか１項に記載の方法。
【請求項１１】
前記通信フィードバックは、ハイブリッド自動再送要求を含む、
ことを特徴とする請求項１、２、３、４、５、７、８、９又は１０のいずれか１項に記載の方法。
【請求項１２】
前記物理アップリンク共有チャネルは、アップリンクグラントによってスケジュールされる、
ことを特徴とする請求項１、２、３、４、５、９、１０又は１１のいずれか１項に記載の方法。
【請求項１３】
前記第１のセル及び前記第２のセルは、集約されたキャリアを提供する、
ことを特徴とする請求項１から１２のいずれか１項に記載の方法。
【請求項１４】
前記第１のアップリンク及びダウンリンク構成は、ＳＩＢ１アップリンク及びダウンリンク構成であり、前記第２のアップリンク及びダウンリンク構成は、ＳＩＢ１アップリンク及びダウンリンク構成である、
ことを特徴とする請求項１から１３のいずれか１項に記載の方法。
【請求項１５】
少なくとも１つのプロセッサと、１又はそれ以上のプログラムのためのコンピュータコードを含む少なくとも１つのメモリとを備えた装置であって、前記少なくとも１つのメモリ及び前記コンピュータコードは、前記少なくとも１つのプロセッサを用いて、前記装置に少なくとも、
第１のアップリンク及びダウンリンク構成を使用する所定の構成の第１のセル、及び第２のアップリンク及びダウンリンク構成を使用する第２のセルと通信させ、
物理アップリンク共有チャネルを用いて、前記第１のセル及び前記第２のセルのための通信フィードバックを前記第２のセルにおいて提供させ、
アップリンクグラントで受け取られたダウンリンク割当てインジケータ情報に依存して、前記フィードバックのコードブックサイズを決定させる、
ように構成されることを特徴とする装置。
【請求項１６】
少なくとも１つのプロセッサと、１又はそれ以上のプログラムのためのコンピュータコードを含む少なくとも１つのメモリとを備えた装置であって、前記少なくとも１つのメモリ及び前記コンピュータコードは、前記少なくとも１つのプロセッサを用いて、前記装置に少なくとも、
第１のアップリンク及びダウンリンク構成を使用する所定の構成の第１のセル、及び第２のアップリンク及びダウンリンク構成を使用する第２のセルと通信させ、
物理アップリンク共有チャネルを用いて、前記第１のセル及び前記第２のセルのための通信フィードバックを前記第１のセルにおいて提供させ、
前記第１及び第２のセルのタイミング基準アップリンク及びダウンリンク構成、及びアップリンクグラントで受け取られたダウンリンク割当てインジケータ情報の一方を用いて前記フィードバックのコードブックサイズを決定させる、
ように構成されることを特徴とする装置。
【請求項１７】
少なくとも１つのプロセッサと、１又はそれ以上のプログラムのためのコンピュータコードを含む少なくとも１つのメモリとを備えた装置であって、前記少なくとも１つのメモリ及び前記コンピュータコードは、前記少なくとも１つのプロセッサを用いて、前記装置に少なくとも、
第１のアップリンク及びダウンリンク構成を使用する第１のセル、及び第２のアップリンク及びダウンリンク構成を使用する第２のセルと通信させ、
ダウンリンクグラント内のダウンリンク割当てインジケータを使用させる、
ように構成されることを特徴とする装置。
【請求項１８】
前記少なくとも１つのメモリ及び前記コンピュータコードは、前記少なくとも１つのプロセッサを用いて、前記装置に、受け取った通信に関する通信フィードバックに前記ダウンリンク割当てを使用させるように構成される、
ことを特徴とする請求項１７に記載の装置。
【請求項１９】
前記第１及び第２のセルの一方は、所定の構成を有する、
ことを特徴とする請求項１７又は１８に記載の装置。
【請求項２０】
前記所定の構成は、アップリンクダウンリンク構成０を含む、
ことを特徴とする請求項１５、１６又は１９のいずれか１項に記載の装置。
【請求項２１】
前記第１及び第２のセルの一方はプライマリセルを含み、前記第１及び第２のセルの他方はセカンダリセルを含む、
ことを特徴とする請求項１５から２０のいずれか１項に記載の装置。
【請求項２２】
前記通信フィードバックは、ハイブリッド自動再送要求を含む、
ことを特徴とする請求項１５、１６、２０又は２１のいずれか１項に記載の装置。
【請求項２３】
前記物理アップリンク共有チャネルは、アップリンクグラントによってスケジュールされる、
ことを特徴とする請求項１５、１６、２０、２１又は２２のいずれか１項に記載の装置。
【請求項２４】
前記第１のセル及び前記第２のセルは、集約されたキャリアを提供する、
ことを特徴とする請求項１５から２３のいずれか１項に記載の装置。
【請求項２５】
少なくとも１つのプロセッサと、１又はそれ以上のプログラムのためのコンピュータコードを含む少なくとも１つのメモリとを備えた装置であって、前記少なくとも１つのメモリ及び前記コンピュータコードは、前記少なくとも１つのプロセッサを用いて、前記装置に少なくとも、
第１のアップリンク及びダウンリンク構成を使用する所定の構成の第１のセル、及び第２のアップリンク及びダウンリンク構成を使用する第２のセルと通信させ、
物理アップリンク共有チャネルを用いて、前記第１のセル及び前記第２のセルのための通信フィードバックを前記第１のセルにおいて提供させ、
前記第１のセルの前記アップリンク及びダウンリンク構成、及びアップリンクグラントで受け取られたダウンリンク割当てインジケータ情報の一方を用いて前記フィードバックのコードブックサイズを決定させる、
ように構成されることを特徴とする装置。
【請求項２６】
請求項１５から２５のいずれか１項に記載の装置を備える、
ことを特徴とするユーザ装置。
【請求項２７】
実行時に請求項１から１４のいずれか１項に記載の方法を実行させるコンピュータ実行可能命令を含む、
ことを特徴とするコンピュータプログラム。
【発明の詳細な説明】
【技術分野】
【０００１】
本開示は、方法及び装置に関し、具体的には、排他的な意味ではないが、バンド間時分割二重キャリアアグリゲーションで使用するための方法及び装置に関する。
【背景技術】
【０００２】
通信システムは、固定装置又はモバイル装置、機械型端末、基地局などのアクセスノード、及びサーバといった２又はそれ以上のノード間の通信セッションを可能にする設備と見なすことができる。通常、通信システム及び互換通信エンティティは、システムに関連する様々なエンティティが何をすることができるか、及びいかにしてそれを達成すべきかを定める所与の標準又は仕様に従って動作する。例えば、標準、仕様及び関連する通信規約は、装置が通信すべき態様、様々な通信態様をどのように実装すべきか、及びシステムで使用する装置をどのように構成すべきかを規定することができる。
【０００３】
ユーザは、適当な通信装置を用いて通信システムにアクセスすることができる。ユーザの通信装置は、ユーザ装置（ＵＥ）又は端末と呼ばれることが多い。通信装置は、他の相手との通信を可能にするための適当な信号送受信構成を備える。通常は、ユーザ装置などの装置を用いて、音声及びコンテンツデータなどの通信を送受信することができる。
【０００４】
伝達情報は、無線キャリア上で運ぶことができる。無線システムの例としては、セルラーネットワークなどの公衆陸上移動体ネットワーク（ＰＬＭＮ）、衛星通信システム、及び、例えば無線ローカルエリアネットワーク（ＷＬＡＮ）などの様々な無線ローカルネットワークが挙げられる。無線システムでは、通信装置が、アクセスネットワークの基地局及び／又は別のユーザ装置などの別の通信装置と通信できる送受信局を提供する。基地局とユーザの通信装置との間の２つの通信方向は、従来ダウンリンク及びアップリンクと呼ばれている。ダウンリンク（ＤＬ）は、基地局から通信装置への方向として、アップリンク（ＵＬ）は、通信装置から基地局への方向として理解することができる。
【０００５】
システムには、ＦＤＤ（周波数分割二重）を使用するものもあれば、ＴＤＤ（時分割二重）を使用するものもある。ＦＤＤでは、ＵＥとのＵＬ通信とＤＬ通信に異なる周波数を使用する。ＴＤＤでは、ＵＬ通信とＤＬ通信に同じ周波数を使用するが、ＵＬ通信とＤＬ通信に異なるタイムスロットが割り当てられる。
【０００６】
複数のキャリアにわたる無線リソースを同時に使用することによってＵＥに関連する帯域幅を拡張させるキャリアアグリゲーションが提案されている。複数のコンポーネントキャリアを集約して、より広い全体的な伝送帯域幅を形成する。
【０００７】
例えば、物理アップリンク制御チャネル（ＰＵＣＣＨ）で制御情報を通信することができる。例えば、このようなシグナリングにより、誤り検出及び／又は誤り訂正を目的としたシグナリングを行うことができる。受信者ノードが正常に受信しなかったあらゆる情報の再送要求が可能である。例えば、この目的のために、ハイブリッド自動再送要求（ＨＡＲＱ）誤り制御機構を使用することができる。この誤り制御機構は、送信装置が、その送信に関する肯定応答又は否定応答（ＡＣＫ／ＮＡＣＫ、Ａ／Ｎ）又はその他の通知を受信装置から受け取るように実装することができる。
【０００８】
ＵＬデータ送信のために物理アップリンク共有チャネル（ＰＵＳＣＨ）がスケジューリングされている場合には、このＰＵＳＣＨでＵＬ制御情報を通信することができる。
【０００９】
ＨＡＲＱは、キャリアアグリゲーション（ＣＡ）との関連で使用することができる。上述したように、キャリアアグリゲーションでは、２つの装置間の通信に複数のキャリアを使用することができる。１つのキャリアのＨＡＲＱフィードバックを、別のキャリアの物理アップリンク制御チャネル（ＰＵＣＣＨ）上で送信することもできる。
【発明の概要】
【発明が解決しようとする課題】
【００１０】
異なる帯域においてＵＬ及びＤＬ構成が異なるバンド間ＴＤＤ（時分割二重）ＣＡが提案されている。ＴＤＤにおけるＨＡＲＱタイミングは、ＵＬ／ＤＬ構成に結び付いているので、これによってＨＡＲＱフィードバックに関する複雑性が生じる恐れがある。
【課題を解決するための手段】
【００１１】
第１の態様では、第１のアップリンク及びダウンリンク構成を使用する所定の構成の第１のセル、及び第２のアップリンク及びダウンリンク構成を使用する第２のセルと通信するステップと、物理アップリンク共有チャネルを用いて、前記第１及び前記第２のセルのための通信フィードバックを前記第２のセルにおいて提供するステップと、アップリンクグラントで受け取られたダウンリンク割当てインジケータ情報に依存して、前記フィードバックのコードブックサイズを決定するステップとを含む方法を提供する。
【００１２】
第２の態様では、第１のアップリンク及びダウンリンク構成を使用する所定の構成の第１のセル、及び第２のアップリンク及びダウンリンク構成を使用する第２のセルと通信するステップと、物理アップリンク共有チャネルを用いて、前記第１及び前記第２のセルのための通信フィードバックを前記第１のセルにおいて提供するステップと、前記第１及び第２のセルのタイミング基準アップリンク及びダウンリンク構成、及びアップリンクグラントで受け取られたダウンリンク割当てインジケータ情報の一方を用いてフィードバックのコードブックサイズを決定するステップとを含む方法を提供する。
【００１３】
この方法は、物理アップリンク共有チャネルをスケジュールするアップリンクグラントで２ビットのダウンリンク割当てインジケータを受け取るステップを含むことが好ましい。
【００１４】
アップリンクグラントは、物理アップリンク共有チャネルと同じセルで受け取られることが好ましい。
【００１５】
アップリンクグラントは、物理アップリンク共有チャネルと異なるセルで受け取られることが好ましい。
【００１６】
第３の態様では、第１のアップリンク及びダウンリンク構成を使用する第１のセル、及び第２のアップリンク及びダウンリンク構成を使用する第２のセルと通信するステップと、ダウンリンクグラント内のダウンリンク割当てインジケータを使用するステップとを含む方法を提供する。
【００１７】
この方法は、受け取った通信に関する通信フィードバックに前記ダウンリンク割当てを使用するステップを含むことが好ましい。
【００１８】
前記第１及び第２のセルの一方は、所定の構成を有することが好ましい。
【００１９】
前記所定の構成は、アップリンクダウンリンク構成０を含むことが好ましい。
【００２０】
前記第１及び第２のセルの一方はプライマリセルを含み、前記第１及び第２のセルの他方はセカンダリセルを含むことが好ましい。
【００２１】
前記通信フィードバックは、ハイブリッド自動再送要求を含むことが好ましい。
【００２２】
前記物理アップリンク共有チャネルは、アップリンクグラントによってスケジュールされることが好ましい。
【００２３】
前記第１のセル及び前記第２のセルは、集約されたキャリアを提供することが好ましい。
【００２４】
前記第１のアップリンク及びダウンリンク構成は、ＳＩＢ１アップリンク及びダウンリンク構成であり、前記第２のアップリンク及びダウンリンク構成は、ＳＩＢ１アップリンク及びダウンリンク構成であることが好ましい。
【００２５】
第４の態様では、少なくとも１つのプロセッサと、１又はそれ以上のプログラムのためのコンピュータコードを含む少なくとも１つのメモリとを備えた装置を提供し、この少なくとも１つのメモリ及びコンピュータコードは、少なくとも１つのプロセッサを用いて、装置に少なくとも、第１のアップリンク及びダウンリンク構成を使用する所定の構成の第１のセル、及び第２のアップリンク及びダウンリンク構成を使用する第２のセルと通信させ、物理アップリンク共有チャネルを用いて、前記第１及び前記第２のセルのための通信フィードバックを前記第２のセルにおいて提供させ、アップリンクグラントで受け取られたダウンリンク割当てインジケータ情報に依存して、前記フィードバックのコードブックサイズを決定させるように構成される。
【００２６】
第５の態様では、少なくとも１つのプロセッサと、１又はそれ以上のプログラムのためのコンピュータコードを含む少なくとも１つのメモリとを備えた装置を提供し、この少なくとも１つのメモリ及びコンピュータコードは、少なくとも１つのプロセッサを用いて、装置に少なくとも、第１のアップリンク及びダウンリンク構成を使用する所定の構成の第１のセル、及び第２のアップリンク及びダウンリンク構成を使用する第２のセルと通信させ、物理アップリンク共有チャネルを用いて、前記第１及び前記第２のセルのための通信フィードバックを前記第１のセルにおいて提供させ、前記第１及び第２のセルのタイミング基準アップリンク及びダウンリンク構成、及びアップリンクグラントで受け取られたダウンリンク割当てインジケータ情報の一方を用いて前記フィードバックのコードブックサイズを決定させるように構成される。
【００２７】
第６の態様では、少なくとも１つのプロセッサと、１又はそれ以上のプログラムのためのコンピュータコードを含む少なくとも１つのメモリとを備えた装置を提供し、この少なくとも１つのメモリ及びコンピュータコードは、少なくとも１つのプロセッサを用いて、装置に少なくとも、第１のアップリンク及びダウンリンク構成を使用する第１のセル、及び第２のアップリンク及びダウンリンク構成を使用する第２のセルと通信させ、ダウンリンクグラント内のダウンリンク割当てインジケータを使用させるように構成される。
【００２８】
少なくとも１つのメモリ及びコンピュータコードは、少なくとも１つのプロセッサを用いて、装置に、受け取った通信に関する通信フィードバックに前記ダウンリンク割当てを使用させるように構成されることが好ましい。
【００２９】
少なくとも１つのメモリ及びコンピュータコードは、少なくとも１つのプロセッサを用いて、装置に、前記ダウンリンク割当てを用いて前記通信フィードバックのバンドリングウィンドウサイズを定めさせるように構成されることが好ましい。
【００３０】
前記第１及び第２のセルの一方は、所定の構成を有することが好ましい。
【００３１】
前記所定の構成は、アップリンクダウンリンク構成０を含むことが好ましい。
【００３２】
前記第１及び第２のセルの一方はプライマリセルを含み、前記第１及び第２のセルの他方はセカンダリセルを含むことが好ましい。
【００３３】
前記通信フィードバックは、ハイブリッド自動再送要求を含むことが好ましい。
【００３４】
前記物理アップリンク共有チャネルは、アップリンクグラントによってスケジュールされることが好ましい。
【００３５】
前記第１のセル及び前記第２のセルは、集約されたキャリアを提供することが好ましい。
【００３６】
第７の態様では、第１のアップリンク及びダウンリンク構成を使用する所定の構成の第１のセル、及び第２のアップリンク及びダウンリンク構成を使用する第２のセルと通信するための手段と、物理アップリンク共有チャネルを用いて前記第１及び前記第２のセルのための通信フィードバックを前記第２のセルにおいて提供するための手段と、アップリンクグラントで受け取られたダウンリンク割当てインジケータ情報に依存して、前記フィードバックのコードブックサイズを決定するための手段とを備えた装置を提供する。
【００３７】
第８の態様では、第１のアップリンク及びダウンリンク構成を使用する所定の構成の第１のセル、及び第２のアップリンク及びダウンリンク構成を使用する第２のセルと通信するための手段と、物理アップリンク共有チャネルを用いて前記第１及び前記第２のセルのための通信フィードバックを前記第１のセルにおいて提供するための手段と、前記第１のセルの前記アップリンク及びダウンリンク構成、及びアップリンクグラントで受け取られたダウンリンク割当てインジケータ情報の一方を用いて、前記フィードバックのコードブックサイズを決定するための手段とを備えた装置を提供する。
【００３８】
第９の態様では、第１のアップリンク及びダウンリンク構成を使用する第１のセル、及び第２のアップリンク及びダウンリンク構成を使用する第２のセルと通信するための手段と、ダウンリンクグラント内のダウンリンク割当てインジケータを使用するための手段とを備えた装置を提供する。
【００３９】
装置は、受け取った通信に関する通信フィードバックに前記ダウンリンク割当てを使用するように構成されることが好ましい。
【００４０】
装置は、前記ダウンリンク割当てを用いて、前記通信フィードバックのバンドリングウィンドウサイズを定めるように構成されることが好ましい。
【００４１】
前記第１及び第２のセルの一方は、所定の構成を有することが好ましい。
【００４２】
前記所定の構成は、アップリンクダウンリンク構成０を含むことが好ましい。
【００４３】
前記第１及び第２のセルの一方はプライマリセルを含み、前記第１及び第２のセルの他方はセカンダリセルを含むことが好ましい。
【００４４】
前記通信フィードバックは、ハイブリッド自動再送要求を含むことが好ましい。
【００４５】
前記物理アップリンク共有チャネルは、アップリンクグラントによってスケジュールされることが好ましい。
【００４６】
前記第１のセル及び前記第２のセルは、集約されたキャリアを提供することが好ましい。
【００４７】
第１０の態様では、上述した装置を備えたユーザ装置を提供する。
【００４８】
第１１の態様では、実行時に上述した方法を引き起こすコンピュータ実行可能命令を含むコンピュータプログラムを提供する。
【００４９】
基地局、又は機械型端末のユーザの通信装置などのノードは、様々な実施形態に従って動作するように構成することができる。
【００５０】
本方法を実行するように適合されたプログラムコード手段を含むコンピュータプログラムも提供する。コンピュータプログラムは、搬送媒体によって記憶し、及び／又は別様に具体化することができる。
【００５１】
いずれかの態様のいずれかの特徴を他のいずれかの態様の他のいずれかの特徴と組み合わせることもできると理解されたい。
【００５２】
以下、実施例及び添付図面を参照しながら、実施形態をほんの一例としてさらに詳細に説明する。
【図面の簡単な説明】
【００５３】
【図１】基地局及び複数の通信装置を含む通信システムの概略図である。
【図２】いくつかの実施形態によるモバイル通信装置の概略図である。
【図３】いくつかの実施形態による制御装置の概略図である。
【図４】セカンダリセルＳＣｅｌｌがＰＤＳＣＨ（物理ダウンリンク共有チャネル）ＨＡＲＱタイミングに使用する基準ＵＬ／ＤＬ構成を示す図である。
【図５】ＴＤＤのためのダウンリンクアソシエーションセットインデックスのテーブルを示す図である。
【図６】異なるＵＬ／ＤＬ構成のテーブルを示す図である。
【図７】ＤＡＩ（ダウンリンク割当てインジケータ）の例を示す図である。
【発明を実施するための形態】
【００５４】
以下、モバイル通信装置にサービスを提供する無線又はモバイル通信システムを参照しながら特定の例示的な実施形態について説明する。例示的な実施形態を詳細に説明する前に、説明する例の基礎を成す技術を理解する補助となるように、無線通信システム、そのアクセスシステム及びモバイル通信装置のいくつかの一般的原理について図１〜図３を参照しながら簡単に説明する。
【００５５】
無線通信システムの例は、第３世代パートナーシップ・プロジェクト（３ＧＰＰ）によって標準化されているアーキテクチャである。最新の３ＧＰＰベースの開発は、ユニバーサル移動体通信システム（ＵＭＴＳ）無線アクセス技術のロングタームエボリューション（ＬＴＥ）と呼ばれることが多い。３ＧＰＰ  ＬＴＥ仕様の様々な開発段階はリリースと呼ばれる。ＬＴＥの最新の開発は、ＬＴＥアドバンスト（ＬＴＥ−Ａ）と呼ばれることが多い。ＬＴＥは、進化型ユニバーサル地上波無線アクセスネットワーク（Ｅ−ＵＴＲＡＮ）として知られているモバイルアーキテクチャを使用する。このようなシステムの基地局は、進化型又は強化型ＮｏｄｅＢ（ｅＮＢ）として知られており、ユーザプレーン無線リンク制御／媒体アクセス制御／物理層プロトコル（ＲＬＣ／ＭＡＣ／ＰＨＹ）終端、及び通信装置に向かう制御プレーン無線リソース制御（ＲＲＣ）プロトコル終端などのＥ−ＵＴＲＡＮ機能を提供することができる。無線アクセスシステムの他の例としては、無線ローカルエリアネットワーク（ＷＬＡＮ）及び／又はＷｉＭａｘ（ワールドワイド・インターオペラビリティ・フォー・マイクロウェーブ・アクセス）などの技術に基づく、システムの基地局によって提供されるものが挙げられる。
【００５６】
無線通信対応装置は、少なくとも１つの基地局又は同様の無線送信機及び／又は受信ノードを介して通信することができる。図１に、様々なモバイル装置２０及び機械様端末２２にサービスを提供している基地局１０を示す。通常、基地局は、少なくとも１つの適当なコントローラ装置により、基地局の動作、及び基地局と通信するモバイル通信装置の管理を可能にするように制御される。基地局は、より広域的な通信システム１２にさらに接続することができる。複数の基地局によって提供される複数の隣接及び／又は重複するアクセスシステム又は無線サービスエリアが存在することもできると理解されたい。基地局サイトは、１又はそれ以上のセル又はセクタを提供することができ、各セクタは、セル又はセルのサブエリアを提供することができる。各装置及び基地局は、同時に開かれる１又はそれ以上の無線チャネルを有することができ、１又はそれ以上のソースとの間で信号の送信及び／又は受信を行うことができる。複数の装置が同じ無線リソースを使用することができるので、これらの装置の送信は、衝突及び／又は干渉を避けるようにスケジューリングする必要がある。
【００５７】
次に、通信装置２０を概略的な部分断面図で示す図２を参照しながら、アップリンクでの送信及びダウンリンクでの受信を行うための考えられるモバイル通信装置についてさらに詳細に説明する。このような通信装置は、ユーザ装置又はユーザ端末と呼ばれることが多い。適当な通信装置は、無線信号の送信及び／又は受信を行うことができるあらゆる装置によって実現することができる。非限定的な例として、携帯電話機又は「スマートフォン」として知られているものなどのモバイルステーション（ＭＳ）、無線インターフェイスカード又はその他の無線インターフェイス機能を備えたポータブルコンピュータ、無線通信能力を備えた携帯情報端末（ＰＤＡ）、或いはこれらの又は同様のもののいずれかの組み合わせが挙げられる。モバイル通信装置は、例えば、音声、電子メール（ｅｍａｉｌ）、テキストメッセージ、マルチメディアなどの、伝達情報を運ぶデータの通信を行うことができる。このように、ユーザには、ユーザの通信装置を介して数多くのサービスを提案及び提供することができる。これらのサービスの非限定的な例としては、二方向又は多方向通話、データ通信、マルチメディアサービス、或いは単純にインターネットなどのデータ通信ネットワークシステムへのアクセスが挙げられる。コンテンツデータの非限定的な例としては、ダウンロード、テレビ及びラジオ番組、ビデオ、広告、様々な警告、並びにその他の情報が挙げられる。
【００５８】
装置２０は、無線信号を受信するのに適した装置を介して無線インターフェイスを通じてダウンリンク２９で信号を受信し、無線信号を送信するのに適した装置を介してアップリンク２８で信号を送信するように構成される。図２には、ブロック２６によってトランシーバ装置を概略的に示している。トランシーバ装置２６は、例えば無線部及び関連するアンテナ構成によって提供することができる。アンテナ構成は、モバイル装置の内部に配置することも、又は外部に配置することもできる。
【００５９】
モバイル通信装置は、少なくとも１つのデータ処理エンティティ２１、少なくとも１つのメモリ２２、並びに基地局及び／又はその他の通信装置へのアクセス及び通信の制御を含む、モバイル通信装置が実行するように設計されたソフトウェア及びハードウェア支援によるタスクの実行で使用するためのその他の考えられるコンポーネント２３も備える。これらのデータ処理装置、記憶装置及びその他の関連装置は、適当な回路基板上及び／又はチップセット内に設けることができる。この装置を符号２４で示す。
【００６０】
ユーザは、キーパッド２５、音声命令、タッチセンサ式スクリーン又はパッド、或いはこれらの組み合わせなどの好適なユーザインターフェイスによってモバイル装置の動作を制御することができる。ディスプレイ２７、スピーカー及びマイクを設けることもできる。さらに、通信装置は、他の装置への、及び／又は、例えばハンズフリー装置などの外部アクセサリを装置に接続するための適当な（有線又は無線）コネクタを備えることもできる。
【００６１】
図３に、例えば基地局に結合される、及び／又は基地局を制御するための、通信システムの制御装置３０の例を示す。実施形態によっては、基地局が統合制御装置を備えることもでき、また実施形態によっては、別個のネットワーク要素によって制御装置を提供することもできる。この制御装置は、他の制御エンティティと相互接続することができる。複数の制御ユニット間で制御装置及び制御機能を分散することもできる。いくつかの実施形態では、各基地局が制御装置を備えることができる。別の実施形態では、２又はそれ以上の基地局が１つの制御装置を共有することができる。制御装置の構成は標準規格に依存し、例えば最新のＬＴＥ仕様によれば、別個の無線ネットワークコントローラは設けられない。制御装置３０は、その位置に関わらず、少なくとも１つの基地局のサービスエリア内の通信を制御するものとして理解することができる。制御装置３０は、後述する実施形態に従って制御機能を提供するように構成することができる。この目的のために、制御装置は、少なくとも１つのメモリ３１、少なくとも１つのデータ処理ユニット３２、３３、及び入力／出力インターフェイス３４を備えることができる。制御装置は、このインターフェイスを介して基地局又は基地局の他の要素に結合し、後述する実施形態に従う基地局の動作を引き起こすことができる。制御装置は、制御機能を提供するのに適したソフトウェアコードを実行するように構成することができる。
【００６２】
モバイル装置、機械様端末などの無線通信装置又は基地局は、多入力多出力（ＭＩＭＯ）アンテナシステムを備えることができる。このようなＭＩＭＯ構成は周知である。ＭＩＭＯシステムは、高度デジタル信号処理とともに送信機及び受信機において複数のアンテナを使用してリンク品質及びリンク容量を高める。例えば、図２のトランシーバ装置２６は、複数のアンテナポートを提供することができる。アンテナ素子の数が多いほど、より多くのデータを受信及び／又は送信することができる。
【００６３】
異なる帯域幅においてＵＬ／ＤＬ構成が異なるバンド間ＴＤＤ  ＣＡ（キャリアアグリゲーション）が提案されている。いくつかの実施形態は、ＰＵＣＣＨ及び／又はＰＵＳＣＨのＨＡＲＱ−ＡＣＫフィードバックに関連する。
【００６４】
バンド間ＴＤＤ  ＣＡでは、異なるキャリア（セル）において異なるＵＬ／ＤＬ構成を使用することができる。アップリンク／ダウンリンク構成が異なるＴＤＤコンポーネントキャリアのバンド間キャリアアグリゲーションは、いくつかの利点をもたらすことができる。例えば、これらの利点として、近隣のレガシーＴＤＤシステムとの共存、異種ネットワークにおけるトラフィック依存キャリアの集約サポート、例えば低周波数帯域ではカバレッジを改善するためにアップリンクサブフレームを増やし、及び／又は高周波数帯域ではトラフィック伝送のためにダウンリンクサブフレームを増やすなどの柔軟な構成、及び／又はより速いピークデータ率の取得、のうちの１つ又はそれ以上を挙げることができる。
【００６５】
ＬＴＥ  ＴＤＤは、７つの異なるＴＤＤアップリンク／ダウンリンク構成を提供することによって非対称的なアップリンク／ダウンリンク割当てを可能にすることができる。これを図６のテーブルに示す。これらの構成は、例えば４０％〜９０％のダウンリンクフレームを提供することができる。構成０〜６が存在する。各構成は、０〜９の１０個のサブフレームのうちのどれがアップリンクサブフレームであり、どれがダウンリンクサブフレームであるかを規定している。いくつかの実施形態では、サブフレーム０及び５が、ＵＥが同期を行って関連するシステム情報を取得できるようにする同期信号及びブロードキャスト情報を含む。これらのサブフレームは、ダウンリンクサブフレームである。サブフレーム１は、ダウンリンク送信とアップリンク送信の切り替え点の機能を果たすサブフレームである。このサブフレームは、保護期間によって分離されたダウンリンクパイロットタイムスロット及びアップリンクパイロットタイムスロットを有する。いくつかのＵＬ／ＤＬ構成では、切り替え点の周期性に応じて、サブフレーム６も切り替え点の機能を果たすことができる。構成番号０（＃０）では、サブフレーム２、３、４、７、８及び９がアップリンクサブフレームである。
【００６６】
キャリアアグリゲーションシステムでは、異なるキャリア又はセルが異なるＵＬ／ＤＬ構成を使用できるので、ＵＥのキャリア（セル）間でＰＤＳＣＨ  ＨＡＲＱタイミングが異なってもよいことになる。ＨＡＲＱタイミングは、図５に示すＵＬ／ＤＬ構成に関連する。図５のテーブルは、どのアップリンクサブフレームが（単複の）特定のダウンリンクサブフレームのＡＣＫ／ＮＡＣＫフィードバックを処理しているかを図６の異なるＵＬ／ＤＬ構成毎に示すものである。例えば、ＵＬ／ＤＬ構成＃４では、アップリンクサブフレーム＃２が、アップリンクサブフレーム２よりも１２、８、７及び１１サブフレーム前のダウンリンクサブフレーム、すなわちダウンリンクサブフレーム０、４、５及び１のフィードバックを処理する。アップリンク−ダウンリンク構成に応じて、１つのアップリンクサブフレームが１又は複数のダウンリンクサブフレームのＡＣＫ／ＮＡＣＫフィードバックを担うことができる。すなわち、異なるキャリア上のＨＡＲＱフィードバックは異なるタイミングに従うことができる。
【００６７】
これらのキャリア又はセルのうちの１つはメインセル又はキャリアであり、プライマリセルＰＣｅｌｌと呼ばれる。その他のキャリア又はセルは、セカンダリセルＳＣｅｌｌと呼ばれる。
【００６８】
問題は、例えばＰＣｅｌｌがＵＬ／ＤＬ構成２であってＳＣｅｌｌがＵＬ／ＤＬ構成０である場合、ＳＣｅｌｌのサブフレーム＃０のＰＤＳＣＨは、ＵＬ／ＤＬ構成０のＨＡＲＱタイミングに従ってサブフレーム＃４にＨＡＲＱフィードバックを有することになるが、ＰＣｅｌｌ上ではサブフレーム＃４がＤＬサブフレームになることである（図６を参照）。これは、ＨＡＲＱフィードバックを送信できないことを意味する。
【００６９】
Ｒｅｌ−１１との関連では、ＳＣｅｌｌの基準構成を定め、ＳＣｅｌｌのＨＡＲＱタイミングはこの基準構成のタイミングに従うべきであるという解決手段が提案されている。これを図４に示す。この例では、ＳＣｅｌｌの基準構成が、ＳＣｅｌｌのＳＩＢ１  ＵＬ／ＤＬ構成とは異なるＵＬ／ＤＬ構成２になるべきである。
【００７０】
この基準構成は、セカンダリセル（ＳＣｅｌｌ）の構成済みのＳＩＢ１（システム情報ブロック）ＵＬ／ＤＬ構成と異なってもよい。ＳＣｅｌｌにおけるＨＡＲＱタイミングは、関連する基準構成のために規定されたＨＡＲＱタイミングに従う。
【００７１】
ＳＣｅｌｌのＳＩＢ１  ＵＬ／ＤＬ構成と、ＰＣｅｌｌ及びＳＣｅｌｌにおけるＵＬ／ＤＬ構成のＬＴＥでの全ての組み合わせを表す関連する基準構成との間のマッピングを示す図４を参照する。グリッド内の数字は、対応するＰＣｅｌｌ／ＳＣｅｌｌの組み合わせのための、ＳＣｅｌｌにおけるＨＡＲＱタイミングのＵＬ／ＤＬ基準構成を示す。ＰＣｅｌｌ及びＳＣｅｌｌの両方にとってＵＬ／ＤＬ構成が同じ場合には問題は生じない。
【００７２】
図４のＰＣｅｌｌ／ＳＣｅｌｌの４２個の組み合わせは、３つのケースに分類することができる。テーブルの各エントリには、これらの３つのケースＡ、Ｂ及びＣを示している。
【００７３】
ケースＡ：ＳＣｅｌｌのＤＬサブフレームが、ＰＣｅｌｌのＤＬサブフレームの下位集合である。このケースでは、ＳＣｅｌｌのＨＡＲＱタイミングの基準構成が、ＰＣｅｌｌのＳＩＢ１  ＵＬ／ＤＬ構成である。
【００７４】
ケースＢ：ＳＣｅｌｌのＤＬサブフレームが、ＰＣｅｌｌのＤＬサブフレームの上位集合である。このケースでは、ＳＣｅｌｌのＨＡＲＱタイミングの基準構成が、例えば自己スケジューリングなどの場合のＳＣｅｌｌのＳＩＢ１  ＵＬ／ＤＬ構成である。
【００７５】
ケースＣ：ＳＣｅｌｌのＤＬサブフレームが、ＰＣｅｌｌのＤＬサブフレームの上位集合でも下位集合でもない。このケースでは、ＳＣｅｌｌのＨＡＲＱタイミングの基準構成が、例えば自己スケジューリングなどの場合の（ＰＣｅｌｌ及びＳＣｅｌｌのＳＩＢ１  ＵＬ／ＤＬ構成とは異なる）第３のＵＬ／ＤＬ構成である。
【００７６】
ＳＣｅｌｌのＨＡＲＱタイミングの基準構成を決定する原理として、基準構成のＤＬサブフレームは、ＰＣｅｌｌ及びＳＣｅｌｌの両方のＳＩＢ１  ＵＬ／ＤＬ構成のＤＬサブフレームの最小上位集合である。この基準構成を用いて、ＵＥからｅＮＢへのＨＡＲＱ−ＡＣＫのタイミングを決定する。ｅＮＢからＵＥへの再送タイミングは、（例えば、非同期ＤＬ  ＨＡＲＱを使用する場合）ｅＮＢのスケジューラによって動的に決定することができる。
【００７７】
ＬＴＥにおけるバンド間ＴＤＤ  ＣＡの現在の標準化状況は、以下のように要約することができる。
−  クロスキャリアスケジューリング及び自己スケジューリングがサポートされるようになる。
−  自己スケジューリングの場合、ＰＣｅｌｌのＰＤＳＣＨ  ＨＡＲＱタイミングは、ＰＣｅｌｌのために構成されたＳＩＢ１  ＵＬ／ＤＬ構成のタイミングに従うが、ＳＣｅｌｌは、図４のテーブルに示すような選択された基準ＵＬ／ＤＬ構成のＨＡＲＱタイミングに従うようになる。
−  新たなＨＡＲＱタイミングは導入されない。
−  ＰＵＣＣＨは、ＰＣｅｌｌのみに送信されてＳＣｅｌｌには送信されない。
【００７８】
フォーマット３、及びチャネル選択を伴うフォーマット１ｂの両方をサポートすべきであることが提案されている。ＰＵＣＣＨは、ＵＬ情報を運ぶためのＵＬ制御チャネルである。ＰＵＣＣＨフォーマット１ｂ及びフォーマット３は、ＱＰＳＫ変調を使用する。ビット数は、フォーマット１ｂでは２であり、フォーマット３では４８である。比較的大きな数のＡＣＫ／ＮＡＣＫビットを伝達するには、フォーマット３を使用することができる。フォーマット３では、ＨＡＲＱ−ＡＣＫコードブックサイズを全てのセルの最大値ではなくセル毎に決定することができる。
【００７９】
従って、異なる帯域においてＵＬ／ＤＬ構成が異なるＴＤＤバンド間キャリアアグリゲーションでは、ＨＡＲＱ−ＡＣＫ送信のために、ＰＵＣＣＨフォーマット３、又はチャネル選択を伴うＰＵＣＣＨフォーマット１ｂでＵＥを構成することができる。フォーマット１ｂでは、２ビットのＡＣＫ／ＮＡＣＫしか送信することができない。４ビットのＡＣＫ／ＮＡＣＫフィードバックではチャネル選択が使用され、すなわち４つのＰＵＣＣＨリソースのうちの１つを使用して２ビットを送信する。ＰＵＣＣＨリソースの選択は２ビットを示す。
【００８０】
少なくとも自己スケジューリングのケースでは、ＨＡＲＱ−ＡＣＫ送信のためにＰＵＣＣＨフォーマット３で構成されたＵＥについてはＨＡＲＱ−ＡＣＫ送信がＲｅｌ−１０の設計に従うが、以下の点が異なる。
【００８１】
ＵＬサブフレームｎに関連するサービングセルｃにおける（Ｋcとして示す）ＤＬサブフレームのセットは、ＤＬサブフレームｎ−ｋを含むことができ、この場合、ｋ∈Ｋであり、Ｋはサービングセルｃのタイミング基準構成に従って決定される。サービングセルは、ＰＣｅｌｌであっても、又はＳＣｅｌｌであってもよい。「タイミング」は、前のＤＬサブフレームのＨＡＲＱフィードバックにＵＬサブフレームｎを使用すべき旨を定める。ＬＴＥでは、ＦＤＤについてはタイミングがｎ−４として定められ、ＴＤＤについてはｎ−ｋ（ｋ∈Ｋ）として定められる。Ｋは、図４に定めるようなサービングセルｃのタイミングの基準ＵＬ／ＤＬ構成に従って決定される。
【００８２】
ＵＬグラントによって調整されない、ＵＬサブフレームｎにおけるＰＵＣＣＨ又はＰＵＳＣＨでのＨＡＲＱ−ＡＣＫ送信では、ＢcDL＝Ｍcであり、この場合、ＭcはセットＫc（図５を参照）内の要素の数であり、Ｂcは、ＵＥがＨＡＲＱビットをフィードバックする必要があるダウンリンクサブフレームの数である。（通常、ＰＵＳＣＨはＵＬグラントによってスケーリングされる。ＰＵＳＣＨは、ＰＨＩＣＨ（物理ハイブリッドＡＲＱインジケータチャネル）からのＮＡＣＫを受け取ることによって、すなわちＵＬグラントを伴わずに再送することもできる。）
【００８３】
ＵＬグラントによって調整されるＵＬサブフレームｎにおけるＰＵＳＣＨ（物理アップリンク共有チャネル）でのＨＡＲＱ−ＡＣＫ送信では、タイミング基準構成が＃｛１，２，３，４，６｝である場合、ＢcDL＝ｍｉｎ（ＷDAIUL，Ｍc）であり、この場合、ＷDAIUは、ＤＣＩフォーマット０／４におけるダウンリンク割当てインデックス（ＤＡＩ）によって決定される（以下を参照）。ｅＮＢは、この情報を用いて、セットＫｃ内のどれほどのＤＬサブフレームがスケジューリングされるかをＵＥに示す。
【表１】
2015523825.tif 000003
【００８４】
ＵＬグラントによって調整されるＵＬサブフレームｎにおけるＰＵＳＣＨでのＨＡＲＱ−ＡＣＫ送信では、タイミング基準構成が＃５であるＴＤＤ  ＵＬ／ＤＬ構成の場合、ＢcDLの値については現在のところ依然として検討中である。
【００８５】
ＵＬグラントによって調整されるＵＬサブフレームｎにおけるＰＵＳＣＨでのＨＡＲＱ−ＡＣＫ送信では、タイミング基準構成が＃０の場合が未だ決定されていない。
【００８６】
このタイミング基準構成は、サービングセルｃにおけるＰＤＳＣＨ（物理ダウンリンク共有チャネル）のＨＡＲＱタイミングが従うＴＤＤ  ＵＬ／ＤＬ構成である。
【００８７】
クロスキャリアスケジューリングの場合のフォーマット３の処理も決定されていない。
【００８８】
ＨＡＲＱ−ＡＣＫ送信のためのチャネル選択を伴うＰＵＣＣＨフォーマット１ｂで構成されたＵＥについては、ＨＡＲＱ−ＡＣＫ送信が、以下を除いてＲｅｌ−１０の設計に従うことができる。
【００８９】
ＵＬサブフレームｎに関連するサービングセルｃにおける（Ｋcで示す）ＤＬサブフレームのセットはＤＬサブフレームｎ−ｋを含み、この場合、ｋ∈Ｋであり、Ｋはタイミング基準構成に従って決定される。
【００９０】
ＰＵＣＣＨでのＨＡＲＱ−ＡＣＫ送信では、ＵＥは、Ｍ＝ｍａｘ｛Ｍp，Ｍs｝であるＲｅｌ−１０のマッピングテーブルを使用するものとし、この場合、Ｍpは、プライマリセルのセットＫc内の要素数であり、Ｍsは、セカンダリセルのセットＫc内の要素数である。ＵＥは、よりＭｃ値の小さなサービングセルに対して、｛ＨＡＲＱ−ＡＣＫ（ｍｉｎ｛Ｍp，Ｍs｝），．．．，ＨＡＲＱ−ＡＣＫ（Ｍ−１）｝にＤＴＸ（不連続送信）を設定するものとする。
【００９１】
ＰＵＳＣＨでのＨＡＲＱ−ＡＣＫ送信については未だ決定されていない。
【００９２】
従って、ＰＣｅｌｌがＳＩＢ１  ＵＬ／ＤＬ構成０である場合には、ＨＡＲＱタイミングがＵＬ／ＤＬ構成０に従い、ＳＣｅｌｌがＳＩＢ１  ＵＬ／ＤＬ構成０である場合には、ＨＡＲＱタイミングがＵＬ／ＤＬ構成０に従わないことが提案されている。図４に示すように、ＳＣｅｌｌ構成が０の場合、このＳＣｅｌｌ構成は構成０でないＰＣｅｌｌ構成に従う。
【００９３】
Ｒｅｌ−８／９／１０では、現行の３ＧＰＰ仕様３６．２１２のバージョンに従うＵＬ／ＤＬ構成０を含む全てのＴＤＤ  ＵＬ／ＤＬ構成のＤＬグラントＤＣＩ（ダウンリンク制御情報）フォーマット内にＤＡＩ（ダウンリンク割当てインジケータ）フィードが存在する。ダウンリンク割当てインデックスは、ＵＥにシグナリングされるダウンリンクリソースグラント内のフィールドであり、このＵＥへの送信を含んでいたサブフレームが以前の時間ウィンドウ内にどれだけあったかを示す。しかしながら、現在のところ、ＴＤＤ  ＵＬ／ＤＬ構成がＵＬ／ＤＬ構成０である場合には、このフィールドはＵＥによって解釈されない。換言すれば、このフィールドはＵＥによって無視される。セルのＳＩＢ１  ＵＬ／ＤＬ構成はＵＬ／ＤＬ構成０であり、バンドルウィンドウサイズは常に「１」である（Ｍ＝１、図５のテーブルの１行目を参照されたい。このテーブルには、ＴＤＤの場合のダウンリンクアソシエーションセットインデックスＫ：｛ｋ0，ｋ1，．．．ｋM-1｝を示している）。
【００９４】
図５に示すように、ＬＴＥ  ＴＤＤシステムは、複数のＤＬサブフレームに対応するＨＡＲＱ−ＡＣＫを送信するために通常はＵＬサブフレームを使用するＤＬヘビーシステムとして動作することができる。図５のテーブルには、同じＵＬフレーム内でＨＡＲＱ−ＡＣＫがレポートされるＤＬサブフレームのセットをリストしている。バンドルウィンドウサイズは、セットＫｃ内の要素数である。例えば、構成０では、１つのＵＬサブフレームが、１つのＤＬサブフレームＭ＝１、又はセットＫｃ内の１つの要素のＨＡＲＱフィードバックのみに使用される。構成２などの他の構成では、ＵＬサブフレーム＃２が、この場合Ｍ＝４である４つのＤＬサブフレーム又はセットＫｃ内の４つの要素のＨＡＲＱフィードバックに使用される。
【００９５】
Ｒｅｌ−８／９／１０では、バンドルウィンドウサイズが常に「１」である（Ｍ＝１、図５のテーブルの１行目を参照）ので、現行の３ＧＰＰ仕様３６．２１２のバージョンに従うＵＬ／ＤＬ構成０のＵＬグラントＤＣＩフォーマット内にはＤＡＩフィールドが存在しない。
【００９６】
ＰＣｅｌｌのＳＩＢ１  ＵＬ／ＤＬ構成がＵＬ／ＤＬ構成０である場合について検討する。このケースでは、ＰＣｅｌｌのＨＡＲＱタイミングの基準構成はＵＬ／ＤＬ構成０である。ＰＣｅｌｌのバンドルウィンドウサイズは「１」であるが、ＳＣｅｌｌでは「１」より大きくなることがある。この問題は、ＰＵＣＣＨフォーマット１ｂ及び３で生じ得る。現在のところ、ＰＣｅｌｌ又はＳＣｅｌｌのＰＵＳＣＨでＨＡＲＱ−ＡＣＫが送信される場合のコードブック決定については検討されていない。いくつかの実施形態はこの問題に対処する。
【００９７】
ＳＣｅｌｌのＳＩＢ１  ＵＬ／ＤＬ構成がＵＬ／ＤＬ構成０であるケースについて考慮する。この例では、ＰＣｅｌｌ又はＳＣｅｌｌにおけるＨＡＲＱタイミングの基準構成はＵＬ／ＤＬ構成０ではない。セルのＳＩＢ１  ＵＬ／ＤＬ構成はＵＬ／ＤＬ構成０であるもののＨＡＲＱタイミングの基準構成がそうでない場合にＵＬグラント内にＤＡＩが存在するかどうかは規定されていない。ＳＣｅｌｌのＰＵＳＣＨ上でＨＡＲＱ−ＡＣＫが送信される際のコードブック決定は規定されていない。現在のところ、ＤＡＩの使用がＳＩＢ１  ＵＬ／ＤＬ構成又はタイミング基準ＵＬ／ＤＬ構成に依存するかどうかは規定されていない。ＳＣｅｌｌがＳＩＢ１  ＵＬ／ＤＬ構成０である場合、ＤＡＩ使用が可能であるか、それとも規定されていないかに関わらず、ＳＣｅｌｌのタイミング基準ＵＬ／ＤＬ構成はＵＬ／ＤＬ構成０ではない。
【００９８】
問題は、バンド間ＴＤＤ  ＣＡでは、集約されたセルの１つがＳＩＢ１  ＵＬ／ＤＬ構成０であり、ＰＵＳＣＨでのＨＡＲＱフィードバックがＵＬグラントによって調整されない場合にコードブックサイズをどのように決定するが規定されていないことである。いくつかの実施形態は、コードブックサイズをどのように決定すべきかに対処する。
【００９９】
これまで、セルのＳＩＢ１  ＵＬ／ＤＬ構成はＵＬ／ＤＬ構成０であるもののＨＡＲＱタイミングに関する基準構成がそうでない場合に、ＵＥがＤＬグラント内のＤＡＩを解釈すべきかどうかが検討されたことはない。ＨＡＲＱ−ＡＣＫフィードバックにはＤＬ  ＤＡＩが使用されるので、バンドルウィンドウサイズが「１」よりも大きい（Ｍ＞１）場合にＤＬ  ＤＡＩが利用されなければ、ＨＡＲＱ−ＡＣＫフィードバックに大きく影響する可能性がある。換言すれば、問題は、バンド間  ＴＤＤ  ＣＡでは、ＳＣｅｌｌがＳＩＢ１  ＵＬ／ＤＬ構成０である場合にＤＬ  ＤＡＩを使用すべきかどうかが規定されていないことである。いくつかの実施形態では、この状況においてＤＬ  ＤＡＩが有効である。
【０１００】
いくつかの実施形態では、ＵＬ及びＤＬグラントの両方のＤＡＩ問題に対処するために、バンド間ＴＤＤ  ＣＡで集約されたセルの少なくとも１つにおいて、ＵＬ／ＤＬ構成０がＳＩＢ１の指示による構成である場合、ＰＵＳＣＨでのＨＡＲＱフィードバックのコードブックサイズの決定が行われる。
【０１０１】
ＴＤＤ構成０のＲｅｌ−８／９／１０では、ＵＬグラント内には（例えば、ＵＬ  ＤＡＩが存在しない場合に）ＤＡＩフィールドがＵＬインデックスとして再利用されて存在するが、ＤＬグラントでは適用されない。ＳＩＢ１  ＴＤＤ構成０のセルを他のＴＤＤ構成のセルと共に集約する際には、Ｒｅｌ−８／９／１０と同じ方法でＤＡＩフィールドを使用する場合に、ＰＵＣＣＨ／ＰＵＳＣＨでのＨＡＲＱ−ＡＣＫの問題が生じる。
【０１０２】
いくつかの実施形態では、ＰＵＳＣＨでのＨＡＲＱ−ＡＣＫのコードブックサイズの決定がＵＬグラントによって調整される。
【０１０３】
いくつかの実施形態では、バンド間ＴＤＤ  ＣＡにおいて、セルの１つ（セルｃ）がＳＩＢ１  ＴＤＤ構成０で構成され、ＰＵＳＣＨでのＨＡＲＱ−ＡＣＫがＵＬグラントによって調整される場合、コードブックサイズの決定が、ＰＵＳＣＨセル（ＰＵＳＣＨが送信されるセル）のＳＩＢ１  ＴＤＤ構成に依存することができる。
【０１０４】
ＰＵＳＣＨセルが、ＳＩＢ１  ＴＤＤ構成１〜６のいずれかで構成されている場合について検討する。この場合、ＵＬ  ＤＡＩが利用可能であり、従ってコードブックサイズの決定にＵＬ  ＤＡＩを利用することができる。ＰＵＣＣＨフォーマット３で構成されたＵＥでは、セルｃのタイミング基準構成がＴＤＤ構成｛１，２，３，４，６｝である場合、ＢcDL＝ｍｉｎ（ＷDAIUL，Ｍｃ）であり、セルｃのタイミング基準構成がＴＤＤ構成５である場合、
2015523825.tif 000004
である。
【０１０５】
チャネル選択を伴うＰＵＣＣＨフォーマット１ｂで構成されたＵＥでは、（いくつかの実施形態において、集約されたセルの１つがＳＩＢ１  ＴＤＤ構成０である場合でも）Ｒｅｌ−１０で定められるＴＤＤ構成｛１，２，３，４，６｝の手順、及びＵＬグラントによって調整されたＰＵＳＣＨを再利用することができる。
【０１０６】
ＰＵＳＣＨセルがＳＩＢ１  ＴＤＤ構成０である場合について検討する。この場合、ＤＣＩフォーマット０／４が変わらないままであればＵＬ  ＤＡＩを利用することができず、従ってＵＬ  ＤＡＩを使用せずにコードブックサイズを決定すべきである。ＰＵＣＣＨフォーマット３で構成されたＵＥでは、各セルについてＢcDL＝Ｍcであり、この場合、ＭcはセットＫc内の要素数であり、Ｋcはサービングセルｃのタイミング基準構成に従って決定される。チャネル選択を伴うＰＵＣＣＨフォーマット１ｂで構成されたＵＥでは、（集約されたセルの１つがＳＩＢ１  ＴＤＤ構成０である場合でも）Ｒｅｌ−１０で定められるＴＤＤ構成｛１，２，３，４，６｝の手順、及びＵＬグラントによって調整されたＰＵＳＣＨをＭ＝ｍａｘ｛Ｍp，Ｍs｝で再利用することができる。
【０１０７】
この場合、（例えば、ＳＩＢ１  ＴＤＤ構成がＴＤＤ構成０であり、ＰＤＳＣＨ  ＨＡＲＱのタイミング基準構成がＴＤＤ構成１〜６である場合にはＵＬ  ＤＡＩのための２ビットを追加して）ＤＣＩフォーマット０／４を変更できればＵＬ  ＤＡＩを利用することができ、従ってコードブックサイズの決定にＵＬ  ＤＡＩを利用することができる。ＰＵＣＣＨフォーマット３で構成されたＵＥでは、セルｃのタイミング基準構成がＴＤＤ構成｛１，２，３，４，６｝である場合、ＢcDL＝ｍｉｎ（ＷDAIUL，Ｍｃ）であり、セルｃのタイミング基準構成がＴＤＤ構成５である場合、
2015523825.tif 000005
である。チャネル選択を伴うＰＵＣＣＨフォーマット１ｂで構成されたＵＥでは、（集約されたセルの１つがＳＩＢ１  ＴＤＤ構成０である場合でも）Ｒｅｌ−１０で定められたＴＤＤ構成｛１，２，３，４，６｝の手順、及びＵＬグラントによって調整されたＰＵＳＣＨを再利用することができる。
【０１０８】
この場合、（例えば、ＳＩＢ１  ＴＤＤ構成がＴＤＤ構成０であり、ＰＤＳＣＨ  ＨＡＲＱのタイミング基準構成もＴＤＤ構成０である場合にはＵＬ  ＤＡＩのための２ビットを追加して）ＤＣＩフォーマット０／４が変更できればＵＬ  ＤＡＩを利用することができ、従ってコードブックサイズの決定にＵＬ  ＤＡＩを利用することができる。ＰＵＣＣＨフォーマット３で構成されたＵＥでは、セルｃのタイミング基準構成がＴＤＤ構成｛１，２，３，４，６｝である場合、ＢcDL＝ｍｉｎ（ＷDAIUL，Ｍｃ）であり、セルｃのタイミング基準構成がＴＤＤ構成５である場合、
2015523825.tif 000006
である。チャネル選択を伴うＰＵＣＣＨフォーマット１ｂで構成されたＵＥでは、（集約されたセルの１つがＳＩＢ１  ＴＤＤ構成０である場合でも）Ｒｅｌ−１０で定められたＴＤＤ構成｛１，２，３，４，６｝の手順、及びＵＬグラントによって調整されたＰＵＳＣＨを再利用することができる。
【０１０９】
いくつかの実施形態では、バンド間ＴＤＤ  ＣＡにおいて、セルの１つ（セルｃ）がＳＩＢ１  ＴＤＤ構成０であり、ＰＵＳＣＨでのＨＡＲＱ−ＡＣＫがＵＬグラントによって調整される場合、コードブックサイズの決定は、ＰＵＳＣＨセル（ＰＵＳＣＨが送信されるセル）のＳＩＢ１  ＴＤＤ構成に依存すべきである。
【０１１０】
ＰＵＳＣＨセルがＳＩＢ１  ＴＤＤ構成１〜６である場合、コードブックサイズの決定にＵＬ  ＤＡＩが使用される。
【０１１１】
ＰＵＳＣＨセルがＳＩＢ１  ＴＤＤ構成０である場合、ＰＵＳＣＨがＵＬグラントによって調整されないかのようにコードブックサイズを決定することが好ましい。
【０１１２】
次に、ＤＬ  ＤＡＩについて説明する。ＳＣｅｌｌのＳＩＢ１構成がＴＤＤ構成０である場合、ＳＣｅｌｌのＰＤＳＣＨ  ＨＡＲＱタイミングの基準構成はＰＣｅｌｌのＳＩＢ１構成になり、現在のところ、ＤＬ  ＤＡＩの使用は規定されていない。
【０１１３】
この場合、ＤＬ  ＤＡＩが使用されなければ、ＳＣｅｌｌのバンドルウィンドウサイズが「１」よりも大きくなる（Ｍ＞１）ことができるので、ＨＡＲＱ−ＡＣＫフィードバックの問題が生じる。例えば、ＰＵＣＣＨフォーマット３のＨＡＲＱ−ＡＣＫビット配列、ＳＲリソースでのＡＣＫ／ＮＡＣＫ、及びＣＳＩリソースでのＡＣＫ／ＮＡＣＫなどを決定する際には、ＤＬ  ＤＡＩがＭ＞１で使用されるので、この場合にＤＬ  ＤＡＩが欠けていると誤ったＨＡＲＱ−ＡＣＫフィードバックが生じる。ＤＬ割り当てに既にＤＬ  ＤＡＩが存在することを考慮すると、いくつかの実施形態では、ＴＤＤ構成０としてのＳＩＢ１構成のセルにＤＬ  ＤＡＩを使用することができるが、ＰＤＳＣＨ  ＨＡＲＱタイミングの基準構成はＴＤＤ構成０ではない。
【０１１４】
いくつかの実施形態では、バンド間ＴＤＤ  ＣＡにおいて、ＳＣｅｌｌがＳＩＢ１  ＴＤＤ構成０である場合、ＳＣｅｌｌではＤＬ  ＤＡＩの使用が可能である。
【０１１５】
次に、上述した実施形態をさらに詳細に説明する。第１の実施形態では、ＤＬ  ＤＡＩの使用が常に有効であり、ＳＩＢ１指示によるＵＬ／ＤＬ構成０のセルが異なるＳＩＢ１  ＵＬ／ＤＬ構成の別のセルと共に集約される場合にＵＬ  ＤＡＩが追加される。ＤＬ及びＵＬ  ＤＡＩの解釈は、他のＵＬ／ＤＬ構成のＤＬ及びＵＬ  ＤＡＩと同様とすることができる。しかしながら、ＤＬグラントのＵＥ解釈及びＵＬグラントの拡張は異なる。いくつかの実施形態では、ＵＬ  ＤＡＩの２ビットフィールドが追加される。現在の提案では、ＵＥがこの２ビットフィールドを読み取らない。しかしながら、いくつかの実施形態では、上述した状況においてＵＥがこの２ビットフィールドを読み取る。従って、ＤＬ  ＤＡＩを用いて、検出されたＤＬグラントに至るまでにどれほどのＤＬサブフレームがスケジューリングされたかがＵＥに示される。
【０１１６】
Ｍ＝４及び３でスケジューリングされたＤＬサブフレームのＵＬ  ＤＡＩ及びＤＬ  ＤＡＩの例を示す図７を参照する。
【０１１７】
第２の実施形態では、サービングセルの１つがＳＩＢ１指示によるＵＬ／ＤＬ構成０である場合、以下の２つの提案を用いて正しいＨＡＲＱ−ＡＣＫフィードバックを確実にする。現在のところ、ＵＬ  ＤＡＩはＵＬ／ＤＬ構成０と共に使用されない。従って、Ｒｅｌ−１１では、ＳＩＢ１  ＵＬ／ＤＬ構成０のセルがＳＩＢ１  ＵＬ／ＤＬ構成１〜６のセルと共に集約される場合、コードブックサイズの決定は規定されていない。これは、現在のところＲｅｌ−８／９／１０に従うＵＬ／ＤＬ構成０ではＤＬ  ＤＡＩが使用されていないからであるが、Ｒｅｌ−１１では、ＳＩＢ１  ＵＬ／ＤＬ構成０のセルをＳＩＢ１  ＵＬ／ＤＬ構成１〜６のセルと共に集約する際にこれが必要になる。
【０１１８】
第２の実施形態による第１の提案は、ＳＩＢ１指示によるＵＬ／ＤＬ構成０のセルについてはＤＬ  ＤＡＩの使用が有効であるが、このセルのＰＤＳＣＨ  ＨＡＲＱ−ＡＣＫタイミングの基準構成が構成０でないことである。ＤＬ  ＤＡＩの解釈は、他のＵＬ／ＤＬ構成のＤＬ  ＤＡＩと同様である。
【０１１９】
第２の実施形態による第２の提案は、サービングセル（ＰＣｅｌｌ又はＳＣｅｌｌのいずれか）がＳＩＢ１指示によるＵＬ／ＤＬ構成０であり、このサービングセルでスケジューリングされたＰＵＳＣＨ上でＨＡＲＱ−ＡＣＫをＵＬグラントと共に送信すべき場合、ＰＵＣＣＨフォーマット３が構成されている場合には、各サービングセルｃについてコードブックサイズをＢcDL＝Ｍcとして決定し、チャネル選択を伴うＰＵＣＣＨフォーマット１ｂが構成されている場合には、ＢcDL＝Ｍc又はＢcDL＝Ｍａｘ｛Ｍp，Ｍs｝に従ってコードブックサイズを決定することである（コードブックの生成は、Ｒｅｌ−１０で定められるＴＤＤ構成｛１，２，３，４，６｝の手順、及びＵＬグラントによって調整されないＰＵＳＣＨと同様であり、この場合も集約されるセルの１つはＳＩＢ１  ＴＤＤ構成０である）。換言すれば、コードブックサイズは、ＰＵＳＣＨがＵＬグラントによって調整されないかのように決定される。
【０１２０】
第３の実施形態では、サービングセルの１つがＳＩＢ１指示によるＵＬ／ＤＬ構成０である場合、以下の２つの提案を併せて使用して正しいＨＡＲＱ−ＡＣＫフィードバックを確実にすることができる。
【０１２１】
第３の実施形態による第１の提案は、ＤＬ  ＤＡＩの使用が有効であり、ＳＩＢ１指示によるＵＬ／ＤＬ構成０のセルについてＵＬ  ＤＡＩが追加されるが、このセルのＰＤＳＣＨ  ＨＡＲＱ−ＡＣＫタイミング基準構成が構成０でないことである。ＤＬ  ＤＡＩ及びＵＬ  ＤＡＩの解釈は、他のＵＬ／ＤＬ構成におけるＤＬ  ＤＡＩ及びＵＬ  ＤＡＩと同様である。
【０１２２】
第３の実施形態による第２の提案は、ＰＣｅｌｌがＳＩＢ１指示によるＵＬ／ＤＬ構成０であり、ＰＵＳＣＨでスケジューリングされたＰＣｅｌｌでＵＬグラントと共にＨＡＲＱ−ＡＣＫを送信すべき場合、ＰＵＣＣＨフォーマット３が構成されている場合には各サービングセルｃについてコードブックサイズをＢcDL＝Ｍcとして決定し、チャネル選択を伴うＰＵＣＣＨフォーマット１ｂが構成されている場合には、ＢcDL＝Ｍc又はＢcDL＝Ｍａｘ｛Ｍp，Ｍs｝に従ってコードブックサイズを決定することである（コードブックの生成は、Ｒｅｌ−１０で定められるＴＤＤ構成｛１，２，３，４，６｝の手順、及びＵＬグラントによって調整されないＰＵＳＣＨと同様であり、この場合も集約されるセルの１つはＳＩＢ１  ＴＤＤ構成０である）。換言すれば、コードブックサイズは、ＰＵＳＣＨがＵＬグラントによって調整されないかのように決定される。
【０１２３】
上述した解決策は、自己スケジューリングを前提とするものである。しかしながら、この提案は、クロスキャリアスケジューリングを使用する際に、バンド間ＴＤＤ  ＣＡをサポートするために使用することもできる。自己スケジューリングとは、セルｃにおけるＰＤＳＣＨ／ＰＵＳＣＨのグラントがセルｃで送信されることを意味し、クロスキャリアスケジューリングとは、セルｃにおけるＰＤＳＣＨ／ＰＵＳＣＨのグラントが異なるセルで送信されることを意味する。
【０１２４】
ＰＣｅｌｌのＳＩＢ１  ＴＤＤ構成がＵＬ／ＤＬ構成０である状況について検討する。
【０１２５】
この状況は、上述した第２の代替例に類似し、ＳＣｅｌｌのＨＡＲＱタイミングの基準構成に応じて２つの選択肢が存在する。
【０１２６】
ＳＣｅｌｌのＨＡＲＱタイミングがＰＣｅｌｌのＳＩＢ１  ＵＬ／ＤＬ構成（ＵＬ／ＤＬ構成０）に従う場合には、対処すべき問題は存在しないと考えられる。
【０１２７】
ＳＣｅｌｌのＨＡＲＱタイミングがＳＣｅｌｌのＳＩＢ１  ＵＬ／ＤＬ構成（ＵＬ／ＤＬ構成０ではない）に従う場合には、上記の実施形態を適用することができる。例えば、第１の実施形態、第２の実施形態の第２の代替例、及び第３の実施形態の第２の代替例を使用することができる。
【０１２８】
ＳＣｅｌｌのＳＩＢ１  ＴＤＤ構成がＵＬ／ＤＬ構成０である状況について検討する。
【０１２９】
第１、第２の実施形態、及び第３の実施形態の第１の代替例を利用することができる。
【０１３０】
従って、いくつかの実施形態では、ＰＣｅｌｌ及びＳＣｅｌｌの一方がＳＩＢ１構成０であり、他方のセルにＰＵＳＣＨが存在する場合にＵＬ  ＤＡＩが使用される。
【０１３１】
ＰＣｅｌｌ及びＳＣｅｌｌの一方がＳＩＢ１構成０であり、このセルにＰＵＳＣＨが存在する場合には、３つの別の解決策が存在する。
【０１３２】
ＨＡＲＱフィードバックは、ＰＣｅｌｌ及びＳＣｅｌｌの両方について送信すべきである（従って、各セルのコードブックサイズを決定する必要がある）が、集約されたセルの１つのみで送信することができる。集約されたセルのいずれかで送信されるＰＵＳＣＨが存在しない場合、ＨＡＲＱフィードバックはＰＣｅｌｌのＰＵＣＣＨでのみ送信することができる。集約されたセルのいずれかでＰＵＳＣＨが送信される場合、ＰＵＳＣＨがＰＣｅｌｌでスケジューリングされているか、それともＳＣｅｌｌでスケジューリングされているかに関わらず、ＨＡＲＱフィードバックはＰＵＳＣＨで送信される。
【０１３３】
Ｒｅｌ−１０では、全ての集約されるセルのＵＬ／ＤＬ構成は同じである。ＰＵＳＣＨが、ＵＬグラントによってＵＬ／ＤＬ構成１〜６でスケジューリングされている場合、ＵＬグラントには２ビットのＵＬ  ＤＡＩフィールドが含まれ、このフィールドを用いて各セルのコードブックサイズが決定される（共通のＵＬ  ＤＡＩを用いてコードブックサイズを決定する）。ＰＵＳＣＨが、ＵＬグラントによって、又はＵＬ／ＤＬ構成０でスケジューリングされていない場合、ＵＬ  ＤＡＩフィールドは存在せず、コードブックサイズは各セルのＵＬ／ＤＬ構成によって決定される。
【０１３４】
Ｒｅｌ−１１では、ＰＣｅｌｌのＳＩＢ１  ＵＬ／ＤＬ構成とＳＣｅｌｌのＳＩＢ１  ＵＬ／ＤＬ構成が異なることができる。セルの一方（ＰＣｅｌｌ又はＳＣｅｌｌ）がＳＩＢ１  ＵＬ／ＤＬ構成０であり、ＵＬグラントによってスケジュールされたＰＵＳＣＨでＨＡＲＱ−ＡＣＫが送信される場合について検討する。この場合、以下のケースが与えられる。
ＴＤＤ構成０がＰＣｅｌｌ上に存在
ＰＣｅｌｌ上のＰＵＳＣＨ
ＳＣｅｌｌ上のＰＵＳＣＨ
ＴＤＤ構成０がＳＣｅｌｌ上に存在
ＰＣｅｌｌ上のＰＵＳＣＨ
ＳＣｅｌｌ上のＰＵＳＣＨ
【０１３５】
第１の代替例では、ＳＩＢ１  ＵＬ／ＤＬ構成０のセル（ＰＣｅｌｌ又はＳＣｅｌｌ）でＰＵＳＣＨが送信される場合、Ｒｅｌ−１０と同様にＵＬ  ＤＡＩは存在せず、各セルのＵＬ／ＤＬ構成を用いて対応するセルのコードブックサイズが決定され、ＵＬ／ＤＬ構成１〜６の他方のセル（ＰＣｅｌｌ又はＳＣｅｌｌ）でＰＵＳＣＨが送信される場合、ＵＬ  ＤＡＩが利用可能であり、このＵＬ  ＤＡＩ（全てのセルに共通）を用いて各セルのコードブックサイズが決定される。
ＴＤＤ構成０がＰＣｅｌｌ上に存在
ＰＣｅｌｌ上のＰＵＳＣＨはＵＬ  ＤＡＩを有しておらず、各セルのＵＬ／ＤＬ構成を用いて対応するセルのコードブックサイズを決定
ＳＣｅｌｌ上のＰＵＳＣＨはＵＬ  ＤＡＩを有しており、ＵＬ  ＤＡＩ（全てのセルに共通）を用いて各セルのコードブックサイズを決定
ＴＤＤ構成０がＰＣｅｌｌ上に存在
ＰＣｅｌｌ上のＰＵＳＣＨはＵＬ  ＤＡＩを有しており、ＵＬ  ＤＡＩ（全てのセルに共通）を用いて各セルのコードブックサイズを決定
ＳＣｅｌｌ上のＰＵＳＣＨはＵＬ  ＤＡＩを有しておらず、各セルのＵＬ／ＤＬ構成を用いて対応するセルのコードブックサイズを決定
【０１３６】
第２の代替例では、ＳＣｅｌｌのＰＵＳＣＨをスケジュールするＵＬグラントに２ビットのＵＬ  ＤＡＩが追加されるが、ＳＣｅｌｌのＳＩＢ１  ＵＬ／ＤＬ構成はＵＬ／ＤＬ構成０である（ＳＣｅｌｌのＨＡＲＱのタイミング基準構成はＵＬ／ＤＬ構成０ではない）。
ＴＤＤ構成０がＰＣｅｌｌ上に存在
ＰＣｅｌｌ上のＰＵＳＣＨはＵＬ  ＤＡＩを有しておらず、各セルのＵＬ／ＤＬ構成を用いて対応するセルのコードブックサイズを決定
ＳＣｅｌｌ上のＰＵＳＣＨはＵＬ  ＤＡＩを有しており、ＵＬ  ＤＡＩ（全てのセルに共通）を用いて各セルのコードブックサイズを決定
ＴＤＤ構成０がＳＣｅｌｌ上に存在
ＰＣｅｌｌ上のＰＵＳＣＨはＵＬ  ＤＡＩを有しており、ＵＬ  ＤＡＩ（全てのセルに共通）を用いて各セルのコードブックサイズを決定
ＳＣｅｌｌのＰＵＳＣＨはＵＬ  ＤＡＩを有しており、ＵＬ  ＤＡＩ（全てのセルに共通）を用いて各セルのコードブックサイズを決定
【０１３７】
第３の代替例では、ＳＣｅｌｌのＳＩＢ１  ＵＬ／ＤＬ構成がＵＬ／ＤＬ構成０である（ＳＣｅｌｌのＨＡＲＱタイミング基準構成はＵＬ／ＤＬ構成０ではない）にも関わらず、ＳＣｅｌｌのＰＵＳＣＨをスケジュールするＵＬグラントに２ビットのＵＬ  ＤＡＩが追加され、ＰＣｅｌｌのＳＩＢ１  ＵＬ／ＤＬ構成がＵＬ／ＤＬ構成０である（ＰＣｅｌｌのＨＡＲＱタイミング基準構成は依然としてＵＬ／ＤＬ構成０である）にも関わらず、ＰＣｅｌｌのＰＵＳＣＨをスケジュールするＵＬグラントに２ビットのＵＬ  ＤＡＩが追加される。
ＴＤＤ構成０がＰＣｅｌｌ上に存在
ＰＣｅｌｌ上のＰＵＳＣＨはＵＬ  ＤＡＩを有しており、ＵＬ  ＤＡＩ（全てのセルに共通）を用いて各セルのコードブックサイズを決定
ＳＣｅｌｌ上のＰＵＳＣＨはＵＬ  ＤＡＩを有しており、ＵＬ  ＤＡＩ（全てのセルに共通）を用いて各セルのコードブックサイズを決定
ＴＤＤ構成０がＳＣｅｌｌ上に存在
ＰＣｅｌｌ上のＰＵＳＣＨはＵＬ  ＤＡＩを有しており、ＵＬ  ＤＡＩ（全てのセルに共通）を用いて各セルのコードブックサイズを決定
ＳＣｅｌｌ上のＰＵＳＣＨはＵＬ  ＤＡＩを有しており、ＵＬ  ＤＡＩ（全てのセルに共通）を用いて各セルのコードブックサイズを決定
【０１３８】
いくつかの実施形態では、集約されたセルのうちの少なくとも１つのＳＩＢ１構成が構成０である場合、ＰＤＳＣＨ  ＨＡＲＱ−ＡＣＫフィードバックがバンド間ＴＤＤ  ＣＡとして処理される。
【０１３９】
上述した実施形態では、ＰＵＣＣＨフォーマット１ｂ及び３を使用すると説明した。これはほんの一例にすぎず、他の実施形態では異なるフォーマットを使用することができると理解されたい。
【０１４０】
実施形態は、ＬＴＥ標準の他のリリース及び／又は他の標準と共に使用することもできる。
【０１４１】
特定の構成を参照した。いくつかの実施形態は、他の構成に適用することもできる。
【０１４２】
ＨＡＲＱを参照した。異なる誤り制御過程と共に他の実施形態を使用することもできる。
【０１４３】
様々なチャネルを参照した。他の実施形態を他のチャネルと共に使用することもできると理解されたい。
【０１４４】
なお、ＬＴＥに関連して実施形態を説明したが、他のあらゆる通信システム又はＬＴＥのさらなる開発にも同様の原理を適用することができる。従って、アップリンク及びダウンリンクに関連して実施形態を説明したが、本開示は、基地局とユーザ端末の間のこれらの方向によって限定されるものではない。それどころか、本発明は、２又はそれ以上の通信エンティティ間の送信を伴うあらゆるシステムに適用可能である。例えば、例えばアドホックネットワーク内で複数のユーザ装置によって通信システムを提供することができる。従って、上記では、無線ネットワーク、技術及び標準のいくつかの例示的なアーキテクチャを参照しながらいくつかの実施形態を説明したが、実施形態は、本明細書で図示し説明した以外のあらゆる好適な形の通信システムに適用することができる。
【０１４５】
基地局装置、通信装置及びその他のあらゆる適切な装置の必要とされるデータ処理装置及び機能は、１又はそれ以上のデータプロセッサによって提供することができる。各末端部における説明した機能は、別個のプロセッサ又は統合プロセッサによって提供することができる。データプロセッサは、ローカル技術環境に適したいずれのタイプのものであってもよく、非限定的な例として、１又はそれ以上の汎用コンピュータ、専用コンピュータ、マイクロプロセッサ、デジタルシグナルプロセッサ（ＤＳＰ）、特定用途向け集積回路（ＡＳＩＣ）、ゲートレベル回路、及びマルチコアプロセッサアーキテクチャに基づくプロセッサを挙げることができる。データ処理は、複数のデータ処理モジュールにわたって分散させることができる。データプロセッサは、例えば少なくとも１つのチップによって提供することができる。関連する装置には、適当なメモリ容量を提供することもできる。これらの１又は複数のメモリは、ローカル技術環境に適したいずれのタイプのものであってもよく、半導体メモリ素子、磁気メモリ素子及びシステム、光メモリ素子及びシステム、固定メモリ及び取り外し可能メモリなどのあらゆる好適なデータ記憶技術を用いて実装することができる。
【０１４６】
一般に、様々な実施形態は、ハードウェア又は専用回路、ソフトウェア、ロジック、又はこれらのいずれかの組み合わせで実装することができる。本発明のいくつかの態様をハードウェアで実装する一方、他の態様をコントローラ、マイクロプロセッサ、又はその他のコンピュータ装置によって実行できるファームウェア又はソフトウェアで実装することもできるが、本発明はこれに限定されるものではない。本発明の様々な態様は、ブロック図、フロー図として図示し説明していることも、又は他の何らかの図形表示を用いて図示し説明していることもあるが、本明細書で説明したこれらのブロック、装置、システム、技術又は方法は、非限定的な例として、ハードウェア、ソフトウェア、ファームウェア、専用回路又はロジック、汎用ハードウェア又はコントローラ又はその他のコンピュータ装置、又はこれらの何らかの組み合わせで実装することもできると十分に理解されたい。ソフトウェアは、メモリチップ、又はプロセッサ内に実装されるメモリブロックなどの物理的媒体、ハードディスク又はフロッピー（登録商標）ディスクなどの磁気媒体、並びに、例えばＤＶＤ及びそのデータ変種であるＣＤなどの光学媒体に記憶することができる。
【０１４７】
上記の説明では、例示的かつ非限定的な例によって本発明の例示的な実施形態の完全かつ有益な説明を行った。しかしながら、関連技術の当業者には、上述の説明を添付図面及び添付の特許請求の範囲と併せて読むことにより、様々な修正及び適合が明らかになると思われる。しかしながら、添付の特許請求の範囲に定める本発明の範囲には、本発明の教示の全てのこのような及び同様の修正も含まれる。実際に、上述した以外のいずれかの実施形態の１つ又はそれ以上の組み合わせを含むさらなる実施形態も存在する。
【符号の説明】
【０１４８】
１０  基地局
１２  通信システム
２０  モバイル装置
２２  機械様端末
【図１】
2015523825.tif 000007
【図２】
2015523825.tif 000008
【図３】
2015523825.tif 000009
【図４】
2015523825.tif 000010
【図５】
2015523825.tif 000011
【図６】
2015523825.tif 000012
【図７】
2015523825.tif 000013
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
第１のアップリンク及びダウンリンク構成を使用する第１のセル、及び第２のアップリンク及びダウンリンク構成を使用する第２のセルと通信するステップと、
ダウンリンクグラント内のダウンリンク割当てインジケータを使用するステップと、
を含むことを特徴とする方法。
【請求項２】
受け取った通信に関する通信フィードバックに前記ダウンリンク割当てを使用するステップを含む、
ことを特徴とする請求項１に記載の方法。
【請求項３】
前記第１及び第２のセルの一方は、所定の構成を有する、
ことを特徴とする請求項１又は２に記載の方法。
【請求項４】
前記所定の構成は、アップリンクダウンリンク構成０を含む、
ことを特徴とする請求項３に記載の方法。
【請求項５】
前記第１及び第２のセルの一方はプライマリセルを含み、前記第１及び第２のセルの他方はセカンダリセルを含む、
ことを特徴とする請求項１又は２に記載の方法。
【請求項６】
前記通信フィードバックは、ハイブリッド自動再送要求を含む、
ことを特徴とする請求項２に記載の方法。
【請求項７】
前記第１のセル及び前記第２のセルは、集約されたキャリアを提供する、
ことを特徴とする請求項１又は２に記載の方法。
【請求項８】
前記第１のアップリンク及びダウンリンク構成は、ＳＩＢ１アップリンク及びダウンリンク構成であり、前記第２のアップリンク及びダウンリンク構成は、ＳＩＢ１アップリンク及びダウンリンク構成である、
ことを特徴とする請求項１又は２に記載の方法。
【請求項９】
少なくとも１つのプロセッサと、１又はそれ以上のプログラムのためのコンピュータコードを含む少なくとも１つのメモリとを備えた装置であって、前記少なくとも１つのメモリ及び前記コンピュータコードは、前記少なくとも１つのプロセッサを用いて、前記装置に少なくとも、
第１のアップリンク及びダウンリンク構成を使用する所定の構成の第１のセル、及び第２のアップリンク及びダウンリンク構成を使用する第２のセルと通信させ、
物理アップリンク共有チャネルを用いて、前記第１のセル及び前記第２のセルのための通信フィードバックを前記第２のセルにおいて提供させ、
アップリンクグラントで受け取られたダウンリンク割当てインジケータ情報に依存して、前記フィードバックのコードブックサイズを決定させる、
ように構成されることを特徴とする装置。
【請求項１０】
少なくとも１つのプロセッサと、１又はそれ以上のプログラムのためのコンピュータコードを含む少なくとも１つのメモリとを備えた装置であって、前記少なくとも１つのメモリ及び前記コンピュータコードは、前記少なくとも１つのプロセッサを用いて、前記装置に少なくとも、
第１のアップリンク及びダウンリンク構成を使用する所定の構成の第１のセル、及び第２のアップリンク及びダウンリンク構成を使用する第２のセルと通信させ、
物理アップリンク共有チャネルを用いて、前記第１のセル及び前記第２のセルのための通信フィードバックを前記第１のセルにおいて提供させ、
前記第１及び第２のセルのタイミング基準アップリンク及びダウンリンク構成、及びアップリンクグラントで受け取られたダウンリンク割当てインジケータ情報の一方を用いて前記フィードバックのコードブックサイズを決定させる、
ように構成されることを特徴とする装置。
【請求項１１】
少なくとも１つのプロセッサと、１又はそれ以上のプログラムのためのコンピュータコードを含む少なくとも１つのメモリとを備えた装置であって、前記少なくとも１つのメモリ及び前記コンピュータコードは、前記少なくとも１つのプロセッサを用いて、前記装置に少なくとも、
第１のアップリンク及びダウンリンク構成を使用する第１のセル、及び第２のアップリンク及びダウンリンク構成を使用する第２のセルと通信させ、
ダウンリンクグラント内のダウンリンク割当てインジケータを使用させる、
ように構成されることを特徴とする装置。
【請求項１２】
実行時に請求項１から８のいずれか１項に記載の方法を実行させるコンピュータ実行可能命令を含む、
ことを特徴とするコンピュータプログラム。
【国際調査報告】
2015523825.tif 000014
2015523825.tif 000015